(57)【要約】 【課題】  人手を介さずに、宅内の制御対象機器の制御を可能とする遠隔制御システムおよび遠隔制御方法を得る。【解決手段】  宅内４００にノーリンギング通信端末１００とネットワーク機器７０とが配置され、管理棟３００には監視装置５００とノーリンギング通信用センタモデム７００が配置されている。宅内４００のネットワーク機器７０を遠隔制御する場合、前記管理棟３００の監視装置５００からノーリンギング通信によって遠隔制御の指令が発信され、宅内４００のノーリンギング通信端末１００が前記交換機と電話回線とを介して遠隔制御の指令を受信し、前記ノーリンギング通信端末１００の記憶演算装置３から、シリアルインターフェース６を介して、前記ネットワーク機器７０に内蔵されたコンソールポートに遠隔制御の指令を伝達し、前記ネットワーク機器７０を制御する遠隔制御システムとする。【選択図】  図１
2006033012.tif 000002
【特許請求の範囲】
【請求項１】
宅内に、ノーリンギング通信端末と、制御対象機器とが配置され、また、管理棟には、監視装置とノーリンギング通信用センタモデムが配置され、前記宅内と前記管理棟とが、交換機と電話回線とを介してノーリンギング通信を行う遠隔制御システムであって、前記ノーリンギング通信端末は、信号用トランス、モデム内蔵型ＮＣＵと、記憶演算装置と、極性反転回路と、リンガー信号検出回路とで構成され、前記管理棟の監視装置は、宅内の制御対象機器の状態監視を行っており、宅内の制御対象機器を遠隔制御する必要が生じた場合、前記管理棟の監視装置から、ノーリンギング通信によって、遠隔制御の指令が発信され、宅内のノーリンギング通信端末が、前記交換機と、電話回線とを介して、前記遠隔制御の指令を受信し、前記ノーリンギング通信端末の記憶演算装置から、シリアルインターフェースを介して、前記制御対象機器に内蔵されたコンソールポートに遠隔制御の指令を伝達し、前記制御対象機器を制御することを特徴とする遠隔制御システム。
【請求項２】
前記制御対象機器がネットワーク機器であることを特徴とする請求項１に記載の遠隔制御システム。
【請求項３】
宅内に、ノーリンギング通信端末と制御対象機器とを配置し、また、管理棟に、監視装置とノーリンギング通信用センタモデムを配置し、前記宅内と前記管理棟とを、交換機と電話回線とを介してノーリンギング通信を行う遠隔制御方法であって、前記ノーリンギング通信端末を、信号用トランス、モデム内蔵型ＮＣＵと、記憶演算装置と、極性反転回路と、リンガー信号検出回路とで構成し、前記管理棟の監視装置は、宅内の制御対象機器の状態監視を行っており、宅内の制御対象機器を遠隔制御する必要が生じた場合、前記管理棟の監視装置から、ノーリンギング通信によって、遠隔制御の指令を発信し、宅内のノーリンギング通信端末が、前記交換機と、電話回線とを介して、前記遠隔制御の指令を受信し、前記ノーリンギング通信端末の記憶演算装置から、シリアルインターフェースを介して、前記制御対象機器に内蔵されたコンソールポートに遠隔制御の指令を伝達し、前記制御対象機器を制御することを特徴とする遠隔制御方法。
【発明の詳細な説明】
【技術分野】
【０００１】
本発明は、アナログ電話回線を介して、宅内での制御対象機器を制御するのに好適な、遠隔制御システムおよび遠隔制御方法に関する。     
【背景技術】
【０００２】
従来の遠隔制御システムについて説明する。図４は、従来の遠隔制御システムの説明図であり、ＡＤＳＬ（Asymmetoric  Digital  Subscaiber  Line)用回線を用いた通信システムの例を示している。
【０００３】
図４において、管理棟３０１には監視装置５０１が配置され、宅内４０１にはＡＤＳＬモデム３２０ａと、前記ＡＤＳＬモデム３２０ａと接続されたパソコン１０ａが配置されている。前記管理棟３０１と宅内４０１とは、加入者用交換機、加入者電話回線にて接続されている。ここで、ＡＤＳＬモデム３２０ａの電源は、電源コンセントから供給される。
【０００４】
図４の遠隔制御システムは、２４時間、常時通信状態となる場合がある。例えば、個人の自宅で常時データ通信を行う、あるいは店舗などにて自動防犯カメラ監視を行う、また企業などで常時データ通信を行う等の用途がある。
【０００５】
近年、ＡＤＳＬ用回線にて、通信容量の高密度化に対応して、キャリア周波数を従来の１.１０４ＭＨｚ（データ転送速度８Ｍｂｐｓに対応する）から３.７５ＭＨｚ（データ転送速度５０Ｍｂｐｓに対応する）の仕様への移行が進んでいる。
【０００６】
このようなデータ転送速度の高速化にともなって、ＡＤＳＬモデムの機能も向上しているが、機能停止が生じる場合がある。ＡＤＳＬモデムの機能が停止すると、当然、データのやり取りは停止することとなる。従来、ＡＤＳＬモデムの機能が停止した場合は、人手によって、再起動してＡＤＳＬモデムの機能を復帰させていた。
【０００７】
しかし、図４に示す従来の遠隔制御システムにて、２４時間常時通信状態の使用形態の中で、ＡＤＳＬモデムの機能が停止した場合に、メンテナンスの人手がない場合は、ＡＤＳＬモデムの機能は停止したままとなるという問題点があった。
【０００８】
特許文献１には、対象機器の電源の、入切りを、操作する技術について記載されており、対象機器が停止した場合、その機能を復帰させることが記載されている。
【０００９】
【特許文献１】特開２００１−２３６１４９号公報
【発明の開示】
【発明が解決しようとする課題】
【００１０】
本発明の目的は、人手を介さずに、宅内の制御対象機器の制御を可能とする遠隔制御システムおよび遠隔制御方法を提供することである。
【課題を解決するための手段】
【００１１】
本発明の遠隔制御システムは、アナログ電話回線を利用したノーリンギング通信により遠隔制御を行う。即ち、本発明の遠隔制御システムは、宅内にノーリンギング通信端末と制御対象機器（ネットワーク機器）とが配置され、また、管理棟には、監視装置とノーリンギング通信用センタモデムが配置され、前記宅内と前記管理棟とが、交換機と電話回線とを介してノーリンギング通信を行う遠隔制御システムであって、前記ノーリンギング通信端末は、 信号用トランス、モデム内蔵型ＮＣＵ（Network  Control  Unit）と、記憶演算装置と、極性反転検出回路と、リンガー信号検出回路とで構成され、前記管理棟の監視装置は、宅内の制御対象機器の状態監視を行っており、宅内の制御対象機器を遠隔制御する必要が生じた場合、前記管理棟の監視装置から、ノーリンギング通信によって、遠隔制御の指令が発信され、宅内のノーリンギング通信端末が、前記交換機と電話回線とを介して、前記遠隔制御の指令を受信し、前記ノーリンギング通信端末の記憶演算装置から、シリアルインターフェースを介して、前記制御対象機器に内蔵されたコンソールポートに遠隔制御の指令を伝達し、前記制御対象機器を制御する遠隔制御システムである。
【００１２】
また、本発明は、前記制御対象機器が、ネットワーク機器、例えば、ＩＳＤＮ用モデム、光通信用モデム、ＡＤＳＬ用モデム、あるいはルータ等である遠隔制御システムである。
【００１３】
また、本発明は、宅内にノーリンギング通信端末と制御対象機器とを配置し、また、管理棟に、監視装置とノーリンギング通信用センタモデムを配置し、前記宅内と前記管理棟とを、交換機と電話回線とを介してノーリンギング通信を行う遠隔制御方法であって、前記ノーリンギング通信端末を、信号用トランス、モデム内蔵型ＮＣＵと、記憶演算装置と、極性反転回路と、リンガー信号検出回路とで構成し、前記管理棟の監視装置は、宅内の制御対象機器の状態監視を行っており、宅内の制御対象機器を遠隔制御する必要が生じた場合、前記管理棟の監視装置から、ノーリンギング通信によって、遠隔制御の指令を発信し、宅内のノーリンギング通信端末が、前記交換機と、電話回線とを介して、前記遠隔制御の指令を受信し、前記ノーリンギング通信端末の記憶演算装置から、シリアルインターフェースを介して、前記制御対象機器に内蔵されたコンソールポートに遠隔制御の指令を伝達し、前記制御対象機器を制御する遠隔制御方法である。
【発明の効果】
【００１４】
本発明によれば、人手を介さずに、かつ、すでに配設された電話回線を用いて宅内の制御対象機器の制御を可能とする遠隔制御システムおよび遠隔制御方法を提供できる。
【発明を実施するための最良の形態】
【００１５】
本発明の遠隔制御システムおよび遠隔制御方法は、アナログ電話回線を利用した、ノーリンギング通信を用いる。また、制御対象機器としてはネットワーク機器があげられる。ネットワーク機器としては、例えば、ＩＳＤＮ用モデム、光通信用モデム、ＡＤＳＬ用モデム、あるいはルータ等があり、前記機器の内部に内蔵されたコンソールポートを利用して制御する。また、前記制御対象機器は、専用のデジタル回線網に繋がっている。そして、前記デジタル回線網を介して、その制御対象機器の状態が管理棟の監視装置に、入力されている。
【００１６】
本発明の遠隔制御システムは、宅内に、ノーリンギング通信端末と制御対象機器とが配置され、また、管理棟には、監視装置とノーリンギング通信用センタモデムが配置され、前記宅内と前記管理棟とが、交換機と電話回線とを介してノーリンギング通信を行う遠隔制御システムであって、前記管理棟の監視装置は、宅内の制御対象機器の状態監視を行っており、宅内の制御対象機器を遠隔制御する必要が生じた場合、前記管理棟の監視装置から、ノーリンギング通信によって、遠隔制御の指令が発信され、宅内のノーリンギング通信端末が、前記交換機と、電話回線とを介して、前記遠隔制御の指令を受信し、前記ノーリンギング通信端末の記憶演算装置から、シリアルインターフェースを介して、前記制御対象機器に内蔵されたコンソールポートに遠隔制御の指令を伝達して前記制御対象機器を制御する。
【実施例１】
【００１７】
図１は、本発明の実施例１の遠隔制御システムの説明図である。図１に示すように、宅内４００内には、ノーリンギング通信端末１００とネットワーク機器７０と、パソコン７３が配置されている。ここで、前記ネットワーク機器７０が制御対象機器である。また、管理棟３００には、監視装置５００とノーリンギング通信用センターモデム７００が配置されている。ここで、監視装置５００は、前記ネットワーク機器７０の状態をデジタル回線網（図示していない）にて常時監視している。
【００１８】
ノーリンギング通信用センターモデム７００と、ノーリンギング通信端末１００とは、センター回線、発信側交換機、電話網、着信側交換機、加入者電話回線を介して、接続されている。
【００１９】
図２は、図１の遠隔制御システムの宅内のノーリンギング通信端末の説明図である。図２に示すように、ノーリンギング通信端末１００は、信号用トランス７、モデム内蔵型ＮＣＵ１と、記憶演算装置３と、極性反転検出回路４１と、リンガー信号検出回路４２とで構成されている。
【００２０】
ここで、宅内の制御対象機器であるネットワーク機器７０として、ＡＤＳＬモデム６０を使用している。ＡＤＳＬモデム６０には、パソコン６３が接続され、ＡＤＳＬモデム６０は、ノーリンギング通信端末１００のシリアルインターフェイス６と接続されている。 また、ＡＤＳＬモデム６０は、デジタル回線網５３と接続されている。
【００２１】
宅内のＡＤＳＬモデム６０を遠隔制御する必要が生じた場合、管理棟の監視装置のノーリンギング通信用センターモデムから、ノーリンギング通信によって、遠隔制御の指令が発信される。宅内のノーリンギング通信端末１００が、交換機と電話回線とを介して、前記遠隔制御の指令を受信し、前記ノーリンギング通信端末１００の記憶演算装置３から、シリアルインターフェース６を介して、前記制御対象機器に内蔵されたコンソールポートに遠隔制御の指令を伝達し、ＡＤＳＬモデム６０を遠隔制御する。
【実施例２】
【００２２】
図３は、本発明の実施例２の遠隔制御システムの宅内のノーリンギング通信端末の説明図である。図３に示すように、ノーリンギング通信端末１００は、信号用トランス７、モデム内蔵型ＮＣＵ１と、記憶演算装置３と、極性反転検出回路４１と、リンガー信号検出回路４２とで構成されている。ここで、宅内の制御対象機器であるネットワーク機器としてルータ６００を使用している。ルータ６００には、複数のパソコン６３０，６４０が接続され、ルータ６００は、ノーリンギング通信端末１００のシリアルインターフェイス６と接続されている。また、ルータ６００はデジタル回線網５３と接続されている。
【００２３】
宅内のルータ６００を遠隔制御する必要が生じた場合、管理棟の監視装置のノーリンギング通信用センターモデムから、ノーリンギング通信によって、遠隔制御の指令が発信される。宅内のノーリンギング通信端末１００が、交換機と、電話回線とを介して、前記遠隔制御の指令を受信し、前記ノーリンギング通信端末１００の記憶演算装置３から、シリアルインターフェース６を介して、前記制御対象機器に内蔵されたコンソールポートに遠隔制御の指令を伝達し、ルータ６００を遠隔制御する。                            
【図面の簡単な説明】
【００２４】
【図１】本発明の実施例１の遠隔制御システムの説明図。
【図２】図１の遠隔制御システムの宅内のノーリンギング通信端末の説明図。
【図３】本発明の実施例２の遠隔制御システムの宅内のノーリンギング通信端末の説明図。
【図４】従来の遠隔制御システムの説明図。
【符号の説明】
【００２５】
１    モデム内蔵型ＮＣＵ
３    記憶演算装置
３３，６１０    コンソールポート
４１    極性反転検出回路
４２   リンガー信号検出回路
５    内電話回線
５０    加入者電話回線
５１    電話ポート          
５３    デジタル回線網
６    シリアルインターフェイス
７    信号用トランス
７０    ネットワーク機器
１０ａ，６３，７３    パソコン
１００    ノーリンギング通信端末     
６０，３２０ａ    ＡＤＳＬモデム
４００，４０１    宅内
４０１ａ    加入者用交換機     
３００，３０１    管理棟
５００，５０１    監視装置
６００    ルータ
６３０，６４０    パソコン
７００    ノーリンギング通信用センターモデム
【図１】
2006033012.tif 000003
【図２】
2006033012.tif 000004
【図３】
2006033012.tif 000005
【図４】
2006033012.tif 000006